(57)【特許請求の範囲】
【請求項１】
被洗濯物を洗濯・乾燥するための洗濯乾燥機と、
オゾンを生成するオゾン発生手段と、
前記オゾンを含むマイクロバブル又はナノバブルを発生させて洗濯用水とともに前記マイクロバブル又は前記ナノバブルを前記洗濯乾燥機に供給する泡発生手段と、
前記洗濯乾燥機から排出される洗濯排水を一旦貯留する排水貯槽と、
前記排水貯槽から前記洗濯排水を受け該洗濯排水に含まれるイオン成分を除去する逆浸透膜手段と、
前記排水貯槽から前記洗濯排水を前記逆浸透膜手段に送るポンプと、
前記排水貯槽と前記ポンプとの間に配設され、前記洗濯排水中に含まれる異物を除去するフィルタ装置とを有し、
前記フィルタ装置は、フィルタ筐体と、該フィルタ筐体内に配設されたガイド部材と、前記ガイド部材に沿って着脱可能に配置されたフィルタとを有することを特徴とする洗濯乾燥収集装置。
【請求項２】
前記フィルタ筐体は蓋部を備え、前記蓋部に対して前記ガイド部材は垂直に延びる方向に配設され、前記フィルタが前記ガイド部材に沿って装置された際前記フィルタ筐体内は前記排水貯槽に繋がる第１の空間と前記ポンプに繋がる第２の空間とに仕切られることを特徴とする請求項１記載の洗濯乾燥収集装置。
【請求項３】
前記排水貯槽は前記洗濯乾燥機の後方に配置されており、前記洗濯排水を予め規定された時間前記排水貯槽に貯留することを特徴とする請求項１又は２記載の洗濯乾燥収集装置。
【発明の詳細な説明】
【技術分野】
【０００１】
本発明は、衣類などの洗濯・乾燥を行う洗濯乾燥収集装置に関し、特に、洗剤を不要とする洗濯乾燥装置に関する。
【背景技術】
【０００２】
一般に、原子力発電所などの発電プラントにおいて使用する衣類など（以下被洗濯物と呼ぶ）を洗濯・乾燥する際には、被洗濯物に付着した汗及び汚れを落とすため、洗濯乾燥機に液体又は粉末の洗剤を投入して洗濯を行った後、すすぎ、脱水、乾燥を行っている。
【０００３】
ところで、原子力発電所で用いられた衣類などを洗濯した際に発生する洗濯排水については、蒸発濃縮処理を行って廃液の減容処理を行う必要があるが、蒸発濃縮処理の際に、洗剤成分（特に、界面活性剤）の影響に起因する泡が発生し、この泡によって濃縮器のレベル管理が極めて不安定となってしまう。
【０００４】
このような不具合を防止するため、現状では、洗剤の投入量を、洗剤メーカが推奨する量の１／１００程度としており、この結果、被洗濯物の汚れが落ちにくくなってしまう。
【０００５】
一方、被洗濯物を洗濯・漂白するに際して、過酸化水素水漂白液とイオン性結晶を用いるとともに、所謂マイクロバブルを用いて被洗濯物を洗濯・漂白するようにした手法が知られている（例えば、特許文献１参照）。
【特許文献１】特開２００７−９２２０７号公報
【発明の開示】
【発明が解決しようとする課題】
【０００６】
ところで、原子力発電所などの発電プラントでは、運転員などの作業員は、多量の汗をかく関係上、被洗濯物には汗及び皮脂が多く含まれることになる。特許文献１に記載の手法においては、マイクロバブルに加えて過酸化水素系漂白液などを用いており、被洗濯物に含まれる汗及び皮脂を効果的に除去することができるとしても、洗濯排水を再度利用することは困難である。
【０００７】
さらに、洗濯排水には汗に含まれる塩分が解けているから、洗濯排水を再度利用するためには、この塩分を効率的に除去する必要がある。また、洗濯の際に混入したマイクロマイクロバブルが洗濯排水中に含まれると、洗濯排水中のオゾンと窒素とが反応して硝酸を生成することがあり、配管などに思わぬ悪影響を与えることがある。
【０００８】
従って、本発明は、衣類などの被洗濯物を洗濯・乾燥する際に、洗剤を用いることなく、しかも洗濯排水を再利用して、配管などの設備に悪影響を及ぼすことのない洗濯乾燥収集装置を提供することを目的とする。
【課題を解決するための手段】
【０００９】
（１）  本発明は、被洗濯物を洗濯・乾燥するための洗濯乾燥機と、オゾンを生成するオゾン発生手段と、前記オゾンを含むマイクロバブル又はナノバブルを発生させて洗濯用水とともに前記マイクロバブル又は前記ナノバブルを前記洗濯乾燥機に供給する泡発生手段と、前記洗濯乾燥機から排出される洗濯排水を一旦貯留する排水貯槽と、前記排水貯槽から前記洗濯排水を受け該洗濯排水に含まれるイオン成分を除去する逆浸透膜手段と、前記排水貯槽から前記洗濯排水を前記逆浸透膜手段に送るポンプと、前記排水貯槽と前記ポンプとの間に配設され、前記洗濯排水中に含まれる異物を除去するフィルタ装置とを有し、前記フィルタ装置は、フィルタ筐体と、該フィルタ筐体内に配設されたガイド部材と、前記ガイド部材に沿って着脱可能に配置されたフィルタとを有することを特徴とする洗濯乾燥収集装置である。
【００１０】
（１）に記載の洗濯乾燥収集装置では、オゾンを含むマイクロバブル又はナノバブルを発生させて、洗濯用水とともにマイクロバブル又はナノバブルを洗濯乾燥機に供給するようにしたので、洗剤を用いることなく良好に被洗濯物の洗濯・乾燥を行うことができる。
【００１１】
また、（１）に記載の洗濯乾燥収集装置では、洗濯乾燥機から排出される洗濯排水を一旦排水貯槽に貯留して、逆浸透膜手段によって排水貯槽からの洗濯排水に含まれるイオン成分（例えば、ナトリウムイオン及び塩素イオン）を除去するようにしたので、逆浸透膜手段を透過した透過水を再利用することができる。
【００１２】
さらに、（１）に記載の洗濯乾燥収集装置では、排水貯槽とポンプとの間に、洗濯排水中に含まれる異物を除去するフィルタ装置を配設し、このフィルタ装置が、フィルタ筐体と、フィルタ筐体内に配設されたガイド部材と、ガイド部材に沿って着脱可能に配置されたフィルタとを有しているので、フィルタによって確実に異物が除去される結果、ポンプに異物が流入することを防止することができるばかりでなく、フィルタの清掃を容易に行うことができる。
【００１３】
（２）  本発明は、（１）に記載の洗濯乾燥収集装置において、前記フィルタ筐体は蓋部を備え、前記蓋部に対して前記ガイド部材は垂直に延びる方向に配設され、前記フィルタが前記ガイド部材に沿って装置された際前記フィルタ筐体内は前記排水貯槽に繋がる第１の空間と前記ポンプに繋がる第２の空間とに仕切られることを特徴とするものである。
【００１４】
（２）に記載の洗濯乾燥収集装置では、フィルタ筐体が蓋部を備え、この蓋部に対してガイド部材が垂直に延びる方向に配設されているので、蓋部を開けば、簡単にガイド部材に沿ってフィルタの着脱を行うことができる。
【００１５】
（３）  本発明は、（１）又は（２）に記載の洗濯乾燥収集装置において、前記排水貯槽は前記洗濯乾燥機の後方に配置されており、前記洗濯排水を予め規定された時間前記排水貯槽に貯留することを特徴とするものである。
【００１６】
（３）に記載の洗濯乾燥収集装置では、排水貯槽を洗濯乾燥機の後方に配置し、洗濯排水を予め規定された時間排水貯槽に貯留するようにしたので、洗濯排水に含まれる塩分の濃度を調整することができる。また、予め規定された時間をオゾンの分解に要する時間以上とすれば、たとえ、洗濯排水にオゾンが残留していたとしても、排水貯槽中でオゾンが分解されることになり、配管類などの設備に悪影響を与えることがない。
【発明の効果】
【００１７】
以上のように、本発明によれば、衣類などの被洗濯物を洗濯・乾燥する際に、洗剤を用いる必要がなく良好に洗濯・乾燥を行えるばかりでなく、洗濯排水を再利用することができる。さらに、洗濯排水中にオゾンが残留していたとしても、配管類などの設備に悪影響を及ぼすことがないという効果がある。
【発明を実施するための最良の形態】
【００１８】
以下、本発明の実施形態による洗濯乾燥収集装置の一例について図面を参照して説明する。
【００１９】
図１は、本発明の実施の形態による洗濯乾燥収集装置の一例の構成を示すブロック図である。図示の洗濯乾燥収集装置は、例えば、原子力発電所などの発電プラントにおいて、運転員などの作業員が着用する衣服（作業着）などを洗濯・乾燥する際に用いられるが、発電プラント以外の設備において作業員が着用する作業着を洗濯・乾燥する際にも同様にして用いることができる。
【００２０】
図１において、洗濯乾燥収集装置１０は、オゾン発生装置２０、泡発生装置２１、洗濯用水循環ポンプ（以下単に循環ポンプと呼ぶ）２２、水槽２３、洗濯乾燥機２４、酸素供給設備２５、排水貯槽４０、逆浸透膜ポンプ４１、逆浸透膜装置４２、及びフィルタ装置４３を備えている。
【００２１】
オゾン発生装置２０には、大気吸入配管２７が接続されるとともに、酸素供給設備２５である酸素ボンベが接続されている。大気吸入配管２７に設けられている大気取入弁３３を開けると、大気が大気吸入配管２７を介してオゾン発生装置２０に取り込まれ、ここで大気中の酸素からオゾンを発生させる。そして、発生したオゾンは、オゾン供給配管２６を解して泡発生装置２１に供給される。
【００２２】
ところで、大気中の窒素酸化物濃度が高くなると、窒素酸化物とオゾンの作用によって、後述する洗濯排水中に塩酸が生成される恐れがある。このため、大気中の窒素酸化物濃度が予め規定された濃度を越えた際、前述の酸素ボンベから酸素のみを供給するようにする。このために、大気吸入配管２７の大気取入弁３３とオゾン発生装置２０との間に酸素吸入配管２８を接続させ、酸素吸入配管２８の端部に酸素供給設備２５すなわち酸素ボンベを接続させる。そして、大気取入弁３３を閉じ、酸素吸入配管２８に配設された酸素取入弁３４を開いて、酸素ボンベから酸素をオゾン発生装置２０に供給する。
【００２３】
泡発生装置２１は水槽２３内に配置され、この水槽２３は洗濯乾燥機２４に洗濯用水を供給する際の一時貯留槽として用いられる。循環ポンプ２２は、洗濯乾燥機２４と泡発生装置２１とを接続する洗濯用水供給配管３８に設けられ、洗濯乾燥機２４から洗濯用水を取り込み、洗濯用水を、減圧弁３５を介して泡発生装置２１に圧送する。
【００２４】
これによって、オゾンが泡発生装置２１に吸い込まれて、所謂マイクロバブル又はナノバブル（以下両者を単にバブルと呼ぶ）を発生させて洗濯用水とともに洗濯乾燥機２４に供給する。洗濯乾燥機２４では、洗濯用水とともに供給されるバブルによって被洗濯物を洗濯洗浄する。これらバブルにおいては、気泡の表面は活性が高く、汚れ成分を界面に吸着させることができる。
【００２５】
なお、洗濯乾燥機２４からの排気は、排気中の含まれるオゾンを再利用するため、オゾン循環配管３７を介してオゾン供給配管２６に供給される。つまり、洗濯乾燥機２４の上部とオゾン供給配管２６との間にはオゾン循環配管３７が配設され、排気弁３１を開き、オゾン供給配管２６におけるオゾン発生装置２０側に設けられたオゾン供給弁３２を閉じると、洗濯乾燥機２４からの排気がオゾン供給配管２６に導かれて、泡発生装置２１に排気がバブル源として供給される。
【００２６】
洗濯後、洗濯乾燥機２４はすすぎを行い、さらに、すすぎの後、洗濯乾燥機２４によって被洗濯物の脱水が行われ、続いて被洗濯物の乾燥が行われる。ところで、洗濯排水は洗濯乾燥機２４の後方に配設された排水貯槽４０に排水される。当然のことながら、この洗濯排水中には汚れ成分の一つである塩分がイオンとして含まれ、また、オゾンが滞留することがある。
【００２７】
このように、洗濯乾燥機２４から排出される洗濯排水を一旦排水貯槽４０に溜めることによって、洗濯毎に異なる排水中の塩分濃度を一定の濃度に調整することができるばかりでなく、排水中にオゾンが滞留する場合に、そのオゾンが酸素に分解する時間を付与することができる。
【００２８】
排水貯槽４０に滞留する洗濯排水は、逆浸透膜ポンプ４１の駆動によって、洗濯排水配管４１ａを介して逆浸透膜装置４２に供給される。洗濯排水配管４１ａには逆浸透膜弁５１が配設されており、洗濯排水を逆浸透膜装置４２に供給する際には、逆浸透膜弁５１を開くとともに、逆浸透膜ポンプ４１を駆動する。図示のように、逆浸透膜ポンプ４１の前段にはフィルタ装置４３が配置されており、このフィルタ装置４３によって、洗濯排水中に含まれる異物等のごみが除去された後、洗濯排水は逆浸透膜装置４２に供給される。
【００２９】
逆浸透膜装置４２は、装置筐体４２ａとこの装置筐体４２ａ内に配置された逆浸透膜４２ｂとを有しており、逆浸透膜４２ｂによって装置筐体４２ａ内は第１の室４２ｃと第２の室４２ｄとに分離されている。そして、第１の室４２ｃは、濃縮水排水配管４６に接続され、第２の室４２ｄは、透過水補給配管４５に接続されている。
【００３０】
洗濯排水は、第１の室４２ｃに流入し、逆浸透膜４２ｂを透過した透過水は、第２の室４２ｄに至る。原子力発電所などの発電プラントで着用された作業着などの被洗濯物は、前述のように、汗を多量に含んでいるため、洗濯排水には、不可避的にナトリウムイオンと塩素イオンとが多く含まれていることになる。このため、逆浸透膜４２ｂによってナトリウムイオンと塩素イオンとを分離して、第２の室４２ｄに透過水を浸透させる。つまり、第１の室４２ｃにナトリウムイオンと塩素イオンとを残留させることになる。ここで、第１の室４２ｃに残留する洗濯排水を濃縮水と呼ぶ。
【００３１】
濃縮水排水配管４６には濃縮水弁５４が備えられ、濃縮水弁５４を開くと、第１の室４２ｃから濃縮水が排水処理設備（図示せず）に送られる。一方、透過水補給配管４５に備えられた透過水補給弁５３を開くと、第２の室４２ｄから透過水補給配管４５を介して透過水が水槽２３に補給される。
【００３２】
なお、透過水補給配管４５において、透過水補給弁５３と逆浸透膜装置４２との間には、透過水供給配管４４が配設され、この透過水供給配管４４には透過水供給弁５２が備えられている。そして、透過水供給配管４４を介して透過水を排水貯槽４０に供給するようにすれば、排水貯槽４０中の塩分濃度を所定の範囲に維持することが可能となる。
【００３３】
また、透過水は、水槽２３及び排水貯槽４０に選択的に供給され、水槽２３に透過水を補給する際には、透過水補給弁５３を開き、透過水供給弁５２を閉じる。一方、排水貯槽４０に透過水を供給する際には、透過水供給弁５２を開き、透過水補給弁５３を閉じることになる。
【００３４】
このようにして、洗濯乾燥機２４の後方に排水貯槽４０を配置して、ここに一旦洗濯排水を貯留するようにしたので、排水貯槽４０内の洗濯排水中の塩分濃度を調整することができるばかりでなく、たとえ、洗濯排水中にオゾンが残留していても、時間の経過とともに排水貯槽４０においてオゾンが分解されるから、配管類などの設備が悪影響を受けることはない。
【００３５】
ここで、図２及び図３を参照して、フィルタ装置４３の構造について説明する。
【００３６】
図２は、フィルタ装置４３の一部を破断して側面から示す斜視図である。図３は、フィルタ装置４３の上部を開放した状態で示す斜視図である。フィルタ装置４３は、略直方体形状のフィルタ筐体４３ａを有しており、フィルタ筐体４３ａは洗濯排水配管４１ａによって排水貯槽４０に連結されるとともに、逆浸透膜ポンプ４１に連結されている。
【００３７】
フィルタ筐体４３ａには、フィルタ筐体４３ａの開口に沿ってガイド枠体４３ｂが垂直に配設されている。このガイド枠体４３ｂは一対のガイド部材４３１及び４３２を有しており、これらガイド部材４３１及び４３２は、互いに対向するフィルタ筐体４３ａの側壁内面に沿ってそれぞれ配設されている。図示の例では、ガイド部材４３１及び４３２にはガイド部材４３１及び４３２の長手方向に沿って延びる一対の案内溝がそれぞれ形成されている。
【００３８】
図３に示すように、フィルタ筐体４３ａの上部蓋部４３３は開放可能にフィルタ筐体４３ａに取り付けられており、上部蓋部４３３を開くとフィルタ４３ｃを取り出すことができる。つまり、フィルタ筐体４３ａ内にフィルタ４３ｃを配置する際には、ガイド部材４３１及び４３２に沿ってフィルタ４３ｃを挿入することになる。なお、前述のように、各ガイド部材４３１及び４３２にはそれぞれ一対の案内溝が形成されているから、図示の例では、フィルタ４３ｃは１層または２層装着されることになる。
【００３９】
また、フィルタ４３ｃを取り外す際には、ガイド部材４３１及び４３２に沿ってフィルタ４３ｃを引き抜けばよい。フィルタ４３ｃを挿入した際には、フィルタ筐体４３ａ内はフィルタ４３ｃによって第１の空間４３ｄ及び第２の空間４３ｅに仕切られ、第１の空間４３ｄは排水貯槽４０に接続され、第２の空間４３ｅは逆浸透膜ポンプ４１に接続されている。
【００４０】
従って、排水貯槽４０からの洗濯排水は第１の空間４３ｄに流れ込み、フィルタ４３ｃを通って第２の空間４３ｅに至る。この際、フィルタ４３ｃによって洗濯排水中に含まれる異物などのゴミが除去されることになる。よって、逆浸透膜ポンプ４１に異物などのゴミが流入することがなく、逆浸透膜ポンプ４１の故障などの不具合を確実に防止することができる。
【００４１】
また、フィルタ４３ｃを清掃する際には、上部蓋部４３３を開いて、ガイド部材４３１及び４３２に沿ってフィルタ４３ｃを引き抜けば、容易にフィルタ４３ｃをフィルタ筐体４３ａから取り外すことができる。そして、フィルタ４３ｃを清掃した後、ガイド部材４３１及び４３２に沿ってフィルタ４３ｃを挿入すれば、容易にフィルタ４３ｃをフィルタ筐体４３ａに装着することができる。なお、図示の例においては、フィルタ４３ｃは３０メッシュである（１インチ四方当たり直径約０．５ｍｍの穴が３０個である）。
【図面の簡単な説明】
【００４２】
【図１】本発明の実施の形態による洗濯乾燥収集装置の一例の構成を示すブロック図である。
【図２】図１に示すフィルタ装置の一部を破断して側面から示す斜視図である。
【符号の説明】
【００４３】
１０  洗濯乾燥収集装置
２０  オゾン発生装置
２１  泡発生装置
２２  洗濯用水循環ポンプ
２３  水槽
２４  洗濯乾燥機
２５  酸素供給設備
４０  排水貯槽
４１  逆浸透膜ポンプ
４２  逆浸透膜装置
４３  フィルタ装置
４３ａ  フィルタ筐体
４３ｂ  ガイド枠体
４３１，４３２  ガイド部材
４３３  上部蓋部
４３ｃ  フィルタ
【図１】
0005097577.tif 000002
【図２】
0005097577.tif 000003